(57)【要約】【課題】  同一の室内にある複数の室内機が冷房運転終了後、同時に内部乾燥運転を行なうと、室内機から漏れた暖気で室内の温度が上がり、室内にいるユーザーに不快感を与えるおそれがあった。【解決手段】  本発明は、空気調和システムが室内機各々には空調運転を制御する制御部と、人を検知する人検知センサを備え、制御部は、空気調和システムが冷房運転の停止信号を受信した時、室内機全ての人検知センサが人を検知していない場合、各室内機は冷房運転を停止し、室内機の全てが同時に内部乾燥運転を行ない、室内機のうち少なくとも１台の人検知センサが人を検知している場合、各室内機は予め決められた順序で内部乾燥運転を行うことを特徴とする。【選択図】  図２
2018173216.tif 000002
【特許請求の範囲】
【請求項１】
複数の室内機と、人検知センサと、制御手段とを備え、
前記室内機の各々と人検知センサと制御手段が通信回線で接続された空気調和システムにおいて、
前記制御手段は、
前記空気調和システムが冷房運転の停止指示を受けた時、
前記人検知センサが人がいることを検知していない場合、
前記室内機の全ての冷房運転を停止するとともに同時に内部乾燥運転を行ない、
前記人検知センサが人がいることを検知した場合、
前記室内機の各々は、冷房運転を停止するとともに予め決められた順序で内部乾燥運転を行うことを特徴とする空気調和システム。
【請求項２】
前記人検知センサは前記室内機の各々に設けられ、前記人検知センサが人を検知している前記室内機と人を検知していない前記室内機がある場合、人を検知していない前記室内機の内部乾燥運転を優先して行なうことを特徴とする請求項１に記載の空気調和システム。
【請求項３】
前記内部乾燥運転は、送風運転と暖房運転を交互に行うものであって、
前記人検知センサが人がいることを検知した場合、
前記室内機の各々は同時に内部乾燥運転を行うとともに前記暖房運転の期間が重ならないように制御することを特徴とする請求項１に空気調和システム。
【発明の詳細な説明】
【技術分野】
【０００１】
本発明は、複数の室内機を制御する空気調和システムに関わるものである。
【背景技術】
【０００２】
空気調和機において冷房運転が行われた後に、室内熱交換器などの室内機内部に付着した水分を除去するために送風運転と暖房運転を交互に行って室内機内部を乾燥させる内部乾燥運転が行なわれる（特許文献１参照）。
【先行技術文献】
【特許文献】
【０００３】
【特許文献１】特開２００９―２９９９８３号公報
【発明の概要】
【発明が解決しようとする課題】
【０００４】
室内に室内機が複数台設置され、一つのリモコンで複数台の室内機を同時に制御できる空気調和システムがある。このような空気調和機システムで全ての室内機が冷房運転を停止して、上記の内部乾燥運転を同時に行なうと、各々の室内機から吹き出される暖気によって室内の温度が上がり、室内にいるユーザーに不快感を与えるおそれがあった。
【０００５】
そこで、本発明は、上記の空気調和機システムにおいて、室内にいるユーザーに不快感を与えずに室内機が内部乾燥運転を行なえる空気調和システムを提供することを目的としたものである。
【課題を解決するための手段】
【０００６】
上述した課題を解決するために、本発明の空気調和システムは、複数の室内機と、人検知センサと、制御手段とを備え、前記室内機の各々と人検知センサと制御手段が通信回線で接続された空気調和システムにおいて、前記制御手段は、前記空気調和システムが冷房運転の停止指示を受けた時、前記人検知センサが人がいることを検知していない場合、前記室内機の全ての冷房運転を停止するとともに同時に内部乾燥運転を行ない、前記人検知センサが人がいることを検知した場合、前記室内機の各々は、冷房運転を停止するとともに予め決められた順序で内部乾燥運転を行うことを特徴とする
【０００７】
また、本発明の空気調和システムは、前記人検知センサは前記室内機の各々に設けられ、前記人検知センサが人を検知している前記室内機と人を検知していない前記室内機がある場合、人を検知していない前記室内機の内部乾燥運転を優先して行なうことを特徴とする。
【０００８】
また、本発明の空気調和システムは、前記内部乾燥運転は、送風運転と暖房運転を交互に行うものであって、前記人検知センサが人がいることを検知した場合、前記室内機の各々は、同時に内部乾燥運転を行うとともに前記暖房運転の期間が重ならないように制御することを特徴とする。
【発明の効果】
【０００９】
本発明によれば、室内に室内機が複数台設置され、一つのリモコンで複数台の室内機を同時に制御できる空気調和システムにおいて、室内にいるユーザーに不快感を与えずに複数の室内機の内部乾燥運転を行なうことができる。
【図面の簡単な説明】
【００１０】
【図１】図１は、本発明にかかる空気調和システムの室内機の外観を示した斜視図である。
【図２】図２は、本発明にかかる空気調和システムの構成を示したブロック図である。
【図３】図３は、本発明にかかる空気調和システムの冷媒回路を示した図である。
【図４】図４は、本発明にかかる空気調和システムの動作を示したフローチャートである。
【発明を実施するための形態】
【００１１】
以下に、本発明にかかる空気調和システムの実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。
【実施例】
【００１２】
本実施例の空気調和システムについて図１と図２と図３に基づいて説明する。図１は、本実施例の空気調和システムの室内機を示した斜視図である。図２は、空気調和システムの構成を示したブロック図である。図３は、空気調和システムの冷媒回路を示した構成図である。
【００１３】
まず、本実施例の空気調和システムについて説明する。図１に示す空気調和システム２００の室内機５００について説明する。室内機５００の筐体２１０は横長の略直方体形状に形成されており、室内の壁に取り付けられる一方の面を背面とし、この背面と対向する他方の面を前面パネル２２０とする。前面パネル２２０が開くことで吸込口が形成される。前面パネル２２０の下部で左右方向の中央には人検知センサ６４０が設けられる。また、前面パネル２２０の下方には筐体２１０内に吸込まれた空気が吹き出される吹出口２４０が配置されている。この吹出口２４０の右隣で筐体２１０の表面には後述するリモコン１より送信される信号を受信するリモコン受信部６３０が配置されている。なお、人検知センサについては、上記のように室内機５００と一体でなくてもよく、人検知センサを室内機５００と独立させて部屋に設置してもよい。
【００１４】
次に、図３の冷媒回路に示すように、本実施例の空気調和システムは、１台の室外機４００と少なくとも２台の複数の室内機５００ａ、５００ｂを備えていて、冷房運転（除湿運転も含む）、暖房運転、送風運転及び内部乾燥運転を行うことができる。なお、２台の室内機５００ａ、５００ｂは同一の空調対象空間６００に設置されている。
【００１５】
図３に示すように、室内機５００ａ、５００ｂの冷媒回路には、それぞれ電子膨張弁５１０ａ、５１０ｂと、室内熱交換器５２０ａ、５２０ｂと、室内送風機５３０ａ、５３０ｂなどが搭載されている。電子膨張弁５１０ａ、５１０ｂは、室内熱交換器５２０ａ、５２０ｂに流れる冷媒流量を調節する。室内熱交換器５２０ａ、５２０ｂは内部を流通する冷媒と室内空気とで熱交換を行う。室内送風機５３０ａ、５３０ｂは空調対象空間６００内の室内空気を室内機５００ａ、５００ｂ内に取り込み、室内熱交換器５２０ａ、５２０ｂで冷媒と熱交換して吹き出す。
【００１６】
室外機４００には、圧縮機４１０、四方弁４５０、室外熱交換器４２０、室外送風機４３０が搭載されている。圧縮機４１０は冷媒を圧縮し、その冷媒を冷媒回路内に循環させる。四方弁４５０は冷媒回路を冷房運転の状態と暖房運転の状態に切り替えるものである。室外熱交換器４２０は内部を流通する冷媒と室外空気とで熱交換を行う。室外送風機４３０は室外空気を室外機４００内に取り込み、室外熱交換器４２０で冷媒と熱交換して吹き出す。
【００１７】
図３を用いて、冷房運転や除湿運転時の冷媒の流れについて説明する。冷媒は実線矢印の方向に流れる。室外機４００の圧縮機４１０で圧縮された高温高圧の冷媒は、凝縮器として機能する室外熱交換器４２０に流入する。室外熱交換器４２０に流入した高温高圧の冷媒は、室外送風機４３０により供給される室外空気と熱交換する。これにより高温高圧の冷媒は凝縮し、冷却される。冷却された冷媒は、冷媒配管を介して室外機４００から流出し、分岐した後それぞれの室内機５００ａ、５００ｂに流入する。
【００１８】
それぞれの室内機５００ａ、５００ｂに流入した冷媒は室内電子膨張弁５１０ａ、５１０ｂにて減圧されて低温低圧の冷媒になる。低温低圧の冷媒は室内熱交換器５２０ａ、５２０ｂに流入する。室内熱交換器５２０ａ、５２０ｂに流入した低温低圧の冷媒は室内送風機５３０ａ、５３０ｂにより供給される室内空気と熱交換する。これにより低温低圧の冷媒は蒸発し、加熱される。加熱された冷媒は配管を介してそれぞれの室内機５００ａ、５００ｂから流出し合流した後室外機４００に流入する。室外機４００に流入した冷媒は圧縮機４１０に戻る。
【００１９】
また、暖房運転を行なう場合には、冷媒の流れは冷房運転や除湿運転時とは逆になる。送風運転は、圧縮機４１０の運転を止めて、室内送風機５３０ａ、５３０ｂを動作させて、室内空気を吹出口２４０より吹出す。内部乾燥運転は、例えば、送風運転（５０分）、暖房運転（５分）、送風運転（３０分）の順に動作させて、室内機５００の内部を乾燥させる。
【００２０】
次に空気調和システム２００の制御について図２と図４を用いて説明する。図２は、空気調和システム２００の室内機の概略ブロック図である。２台の室内機５００ａ、５００ｂと１台の室外機４００より構成されている。
【００２１】
図２に示すように、各室内機５００ａ、５００ｂには、空気調和システム２００の運転操作を行うリモコン１からの操作信号を受信するリモコン受信部６３０ａ、６３０ｂと、人を検知する人検知センサ６４０ａ、６４０ｂと、室内機（５００ａ、５００ｂ）間の制御信号の送受信および室内機・室外機（５００、４００）間で制御信号を送受信する通信部６２０ａ、６２０ｂと、人検知センサ６４０ａ、６４０ｂの出力信号を処理し、また、各種の空調運転を制御する制御部６１０ａ、６１０ｂとを備えている。
【００２２】
また、各室内機５００ａ、５００ｂ間の通信は、無線又は有線といった通信回線で接続され、室内機・室外機（５００、４００）間の通信は有線で接続されている。
【００２３】
なお、本実施例では室外機が１台、室内機が２台であるが本発明はこれに限定したものでなく、室外機は少なくとも１台、室内機は少なくとも２台あればよく、本実施例の台数より多くあってよい。また、制御手段は、各室内機に備えられているが、室外機に設けて室内機を制御してもよい。また、人検知センサは室内機に備えられているが、室内機とは独立に設置されてもよい。さらに、室内機１台と室外機１台を１組とし、２組以上設置されている場合でもよい。
【００２４】
また、室内機５００ａ、５００ｂにある人検知センサ６４０ａ、６４０ｂが検知した情報は、通信回線を介して各室内機５００ａ、５００ｂの間で相互通信が行われている。例えば、第１室内機５００ａの人検知センサ６４０ａが人を検知しておらず、第２室内機５００ｂの人検知センサ６４０ｂが人を検知している場合には、第１室内機５００ａから第１室内機５００ａの人検知センサ６４０ａが人を検知していないことを示す情報を第２室内機５００ｂに送り、第２室内機５００ｂから第２室内機５００ｂの人検知センサ６４０ｂが人を検知していることを示す情報を第１室内機５００ａに送り、室内機５００ａ、５００ｂで双方の人検知センサの情報が共有される。この結果、各室内機５００ａ、５００ｂは、室内にいる人が第２室内機５００ｂの近傍にいることが認識できる。
【００２５】
次に、空気調和システム２００の冷房運転を停止後の内部乾燥運転の動作について図４のフローチャートを用いて説明する。なお、各室内機５００ａ、５００ｂは、それぞれの人検知センサ６４０ａ、６４０ｂによる人検知情報、内部乾燥運転の開始、終了などの情報を通信回線を介してお互いに通知することで、各室内機５００ａ、５００ｂは、それぞれが内部乾燥運転の行うタイミングを判断することができる。
【００２６】
空気調和システム２００は冷房運転の停止信号を受信する（Ｓ１０１）と、第１室内機５００ａ、第２室内機５００ｂの冷房運転を停止する（Ｓ１０２）。第１室内機５００ａは冷房運転を停止した後、人検知センサ６４０ａが人を検知しているか否か判定する（Ｓ１０３）。なお、本実施例では、冷房運転が停止した後に人検知を行うようにしているが、ユーザーが運転停止操作を行って部屋を退室する時間を考慮すると、冷房運転停止した後に更に所定の時間を設けてから人検知を行うようにしてもよい。
【００２７】
ステップＳ１０３で第１室内機５００ａの人検知センサ６４０ａが人を検知していた場合（Ｓ１０３−Ｙｅｓ）、第２室内機５００ｂの人検知センサ６４０ｂが人を検知しているか否かに関係なく、予め決められた第２室内機５００ｂが内部乾燥運転を行なう（Ｓ１０４）。本発明は、人を検知した場合、複数の室内機の内部乾燥運転を同時に行わないものであるため、各室内機５００ａ、５００ｂのどちらか一方の内部乾燥運転を先に行う必要がある。第１室内機５００ａの人検知センサ６４０ａが人を検知した場合、第２室内機５００ｂの人検知センサ６４０ｂの検知結果に関わらず、第２室内機５００ｂの内部乾燥運転を先に行うと決めておけば、少なくとも第１室内機５００ａの近くにいることが分かっている人の快適性を確保しつつ、本発明の内部乾燥運転の動作に関わる処理を簡素化することができる。なお、室内機が３台以上の場合には、各室内機の人検知センサの結果を交えて、室内機の内部乾燥運転の順序が決められる。
【００２８】
ステップＳ１０４で内部乾燥運転を開始した第２室内機５００ｂは、予め定められた内部乾燥運転時間が経過した後内部乾燥運転を終了し、運転を停止する（Ｓ１０５）。次いでステップＳ１０６で第１室内機５００ａが内部乾燥運転を行い、予め定められた内部乾燥運転時間が経過した後内部乾燥運転を終了し、運転を停止する（Ｓ１０７）。これにより、第１室内機５００ａと第２室内機５００ｂの内部乾燥運転を同時に行わずに内部乾燥運転を行うことで、同時に内部乾燥運転を行うよりも、暖気により受ける影響が和らぐために室内にいる人の不快感を抑えることができる。
【００２９】
一方、ステップＳ１０３で第１室内機５００ａの人検知センサ６４０ａが人を検知していない場合（Ｓ１０３−Ｎｏ）、第２室内機５００ｂの人検知センサ６４０ｂが人を検知しているか否か判定する（Ｓ１０８）。第２室内機５００ｂの人検知センサ６４０ｂが人を検知していた場合（Ｓ１０８−Ｙｅｓ）、第１室内機５００ａは内部乾燥運内転を行い（Ｓ１０９）、所定時間経過した後内部乾燥運転を終了し、運転を停止する（Ｓ１１０）。次いでステップＳ１１１で第２室内機５００ｂが内部乾燥運転を行い、所定時間経過した後内部乾燥運転を終了し、運転を停止する（Ｓ１１２）。このような動作を行う理由は、冷房運転の停止直後の部屋の温度が冷えた状態で内部乾燥運転による暖気が人に当たると、その人は不快感を大きく感じることによる。人が検知されていない第１室内機５００ａの近くには人がいないと考えられるため、冷房運転の停止直後に第１室内機５００ａで内部乾燥運転を行っても、その内部乾燥運転による暖気が人に与える影響が小さい。一方、第１室内機５００ａの内部乾燥運転を行う間に室内の温度は徐々に上昇し、第１室内機５００ａの内部乾燥運転終了後、第２室内機５００ｂの内部乾燥運転を開始する時点では、人が感じる不快感は小さくなる。このように人がいない方の室内機を先に内部乾燥運転させて、人がいる方の室内機を後に内部乾燥運転させることで室内にいるひとが感じる不快感を抑えることができる。
【００３０】
また、第２室内機５００ｂの人検知センサ６４０ｂが人を検知してない場合（Ｓ１０８−Ｎｏ）、第１室内機５００ａと第２室内機５００ｂ共に内部乾燥運転を行い（Ｓ１１３）、それぞれ所定時間経過した後内部乾燥運転を終了し、運転を停止する（Ｓ１１４）。
これにより、人を検知していない場合には、室内にある第１室内機５００ａと第２室内機５００ｂが同時に内部乾燥運転を行なうことで、内部乾燥運転の時間を短縮することができる。
【００３１】
また、本実施例では、人検知センサが人を検知した場合、人に不快感を与えないために、複数の室内機が同時に内部乾燥運転を行なわないように内部乾燥運転を行なう時間をずらしているが、本発明はこれに限定したものではなく、送風運転と暖房運転を交互に行う内部乾燥運転では、複数の室内機が同時に内部乾燥運転を行い、各室内機の暖房運転期間を重ならないようにすることで、暖房運転を行う室内機以外の室内機を送風運転になるようにして暖気による影響を小さくし、人に不快感を与えないようにできる。この場合、各室内機５００ａ、５００ｂは同時に内部乾燥運転を行うため、内部乾燥運転を早く終了させることができる。
【００３２】
以上より、本実施例の空気調和システムでは、人検知センサで検知した情報を基に室内に居る人に不快感を与えないように複数の室内機の内部乾燥運転を行うことができる。
【符号の説明】
【００３３】
１    リモコン
２００    空気調和システム
４００    室外機
５００、５００ａ、５００ｂ    室内機
６１０ａ、６１０ｂ  制御部
６２０ａ、６２０ｂ  通信部
６３０ａ、６３０ｂ  リモコン受信部
６４０、６４０ａ、６４０ｂ    人検知センサ
【図１】
2018173216.tif 000003
【図２】
2018173216.tif 000004
【図３】
2018173216.tif 000005
【図４】
2018173216.tif 000006